(57)【要約】【課題】特殊な製造プロセスを用いることなく、また、対象となる映像の表示中に反転パターンを表示することなく、焼き付きの顕現化を低減すること。【解決手段】電気光学装置は、複数の画素を有する電気光学パネルに、各画素の階調値に応じた駆動電圧の印加をする印加手段と、前記印加の開始または終了の指示を受け付ける受付手段と、前記受付手段が前記開始の指示を受け付けてから、前記終了の指示を受け付けるまでの期間における前記複数の画素の各々の階調値を用いた累積値を、所定数の画素を含む領域毎に記憶する記憶手段と、前記階調値が取りうる値のうち一の基準値と、前記累積値から得られる前記期間における平均値との差に応じて反転階調値を算出する算出手段と、前記算出手段により算出された前記反転階調値に応じた駆動電圧を、前記受付手段が前記終了の指示を受け付けた後で、前記電気光学パネルに印加するように前記印加手段を制御する制御手段とを有する。【選択図】図１
2011221118.tif 000002
【特許請求の範囲】
【請求項１】
複数の画素を有する電気光学パネルに、各画素の階調値に応じた駆動電圧の印加をする
印加手段と、
前記印加の開始または終了の指示を受け付ける受付手段と、
前記受付手段が前記開始の指示を受け付けてから、前記終了の指示を受け付けるまでの
期間における前記複数の画素の各々の階調値を用いた累積値を、所定数の画素を含む領域
毎に記憶する記憶手段と、
前記階調値が取りうる値のうち一の基準値と、前記累積値から得られる前記期間におけ
る平均値との差に応じて反転階調値を算出する算出手段と、
前記算出手段により算出された前記反転階調値に応じた駆動電圧を、前記受付手段が前
記終了の指示を受け付けた後で、前記電気光学パネルに印加するように前記印加手段を制
御する制御手段と
を有する電気光学装置。
【請求項２】
複数の画素を有する電気光学パネルに、各画素の階調値に応じた駆動電圧の印加をする
印加手段と、
前記印加の開始または終了の指示を受け付ける受付手段と、
前記受付手段が前記開始の指示を受け付けてから、前記終了の指示を受け付けるまでの
期間における前記複数の画素の各々に印加される駆動電圧の絶対値を用いた累積値を、所
定数の画素を含む領域毎に記憶する記憶手段と、
前記駆動電圧の絶対値が取りうる値のうち一の基準値と、前記累積値から得られる前記
期間における平均値との差に応じて反転電圧値を算出する算出手段と、
前記算出手段により算出された前記反転電圧値を有する駆動電圧を、前記受付手段が前
記終了の指示を受け付けた後で、前記電気光学パネルに印加するように前記印加手段を制
御する制御手段と
を有する電気光学装置。
【請求項３】
前記電気光学パネルに光を照射する光源と、
前記光源に電力を供給する供給手段と
を有し、
前記受付手段が前記終了の指示を受け付けると、前記供給手段は、前記光源への電力の
供給を停止する
ことを特徴とする請求項１または２に記載の電気光学装置。
【請求項４】
前記記憶手段は、前記開始の指示を受け付けてから前記終了の指示を受け付けるまでの
駆動時間を記憶し、
前記制御手段は、前記駆動時間に応じた時間、前記反転階調値に応じた駆動電圧を印加
するように前記印加手段を制御する
ことを特徴とする請求項１または３に記載の電気光学装置。
【請求項５】
前記記憶手段は、前記開始の指示を受け付けてから前記終了の指示を受け付けるまでの
駆動時間を記憶し、
前記制御手段は、前記駆動時間に応じた時間、前記反転電圧を有する駆動電圧を印加す
るように前記印加手段を制御する
ことを特徴とする請求項２または３に記載の電気光学装置。
【請求項６】
複数の画素を有する電気光学パネルに、各画素の階調値に応じた駆動電圧の印加をする
ステップと、
前記印加の開始または終了の指示を受け付けるステップと、
前記開始の指示を受け付けてから、前記終了の指示を受け付けるまでの期間における前
記複数の画素の各々の階調値を用いた累積値を、所定数の画素を含む領域毎に、記憶手段
に記憶するステップと、
前記階調値が取りうる値のうち一の基準値と、前記累積値から得られる前記期間におけ
る平均値との差に応じて反転階調値を算出するステップと、
前記算出された前記反転階調値に応じた駆動電圧を、前記終了の指示を受け付けた後で
、前記電気光学パネルに印加するように制御するステップと
を有する電気光学装置の駆動方法。
【請求項７】
複数の画素を有する電気光学パネルに、各画素の階調値に応じた駆動電圧の印加をする
ステップと、
前記印加の開始または終了の指示を受け付けるステップと、
前記開始の指示を受け付けてから、前記終了の指示を受け付けるまでの期間における前
記複数の画素の各々に印加される駆動電圧の絶対値を用いた累積値を、所定数の画素を含
む領域毎に、記憶手段に記憶するステップと、
前記駆動電圧の絶対値が取りうる値のうち一の基準値と、前記累積値から得られる前記
期間における平均値との差に応じて反転電圧値を算出するステップと、
前記算出された前記反転電圧値を有する駆動電圧を、前記終了の指示を受け付けた後で
、前記電気光学パネルに印加するように制御するステップと
を有する電気光学装置の駆動方法。
【発明の詳細な説明】
【技術分野】
【０００１】
本発明は、電気光学装置および電気光学装置の駆動方法に関する。
【背景技術】
【０００２】
液晶等を用いた表示装置において、いわゆる「焼き付き」という現象が知られている。
焼き付きとは、例えば一定時間同じ画面の映像、または同じパターンの画面を繰り返す映
像を表示すると、画面内に輝度ムラが発生する現象である。電圧が印加される時間が異な
ることにより画素毎に劣化の程度が異なることが、焼き付きを起こす原因の一つであると
考えられている。
【０００３】
焼き付きを低減する技術として、例えば特許文献１−３が知られている。特許文献１お
よび２は、焼き付きを防止するために、表示中に焼き付きに対する反転パターンを表示す
る技術を開示している。特許文献３は、プロセス改善により焼き付きの発生を防ぐ技術を
開示している。
【先行技術文献】
【特許文献】
【０００４】
【特許文献１】特開２００７−７９４０２号公報
【特許文献２】特開平９−３２２１０１号公報
【特許文献３】特開２００３−３５９０５号公報
【発明の概要】
【発明が解決しようとする課題】
【０００５】
特許文献１および２は、映像の表示中に反転パターンを表示させなければならず、表示
が乱れてしまうという問題があった。特許文献３は、特殊なプロセスおよび構造を用いな
ければならないという問題があった。
これに対し本発明は、特殊な製造プロセスを用いることなく、また、対象となる映像の
表示中に反転パターンを表示することなく、焼き付きの顕現化を低減する技術を提供する
。
【課題を解決するための手段】
【０００６】
本発明は、複数の画素を有する電気光学パネルに、各画素の階調値に応じた駆動電圧の
印加をする印加手段と、前記印加の開始または終了の指示を受け付ける受付手段と、前記
受付手段が前記開始の指示を受け付けてから、前記終了の指示を受け付けるまでの期間に
おける前記複数の画素の各々の階調値を用いた累積値を、所定数の画素を含む領域毎に記
憶する記憶手段と、前記階調値が取りうる値のうち一の基準値と、前記累積値から得られ
る前記期間における平均値との差に応じて反転階調値を算出する算出手段と、前記算出手
段により算出された前記反転階調値に応じた駆動電圧を、前記受付手段が前記終了の指示
を受け付けた後で、前記電気光学パネルに印加するように前記印加手段を制御する制御手
段とを有する電気光学装置を提供する。
この電気光学装置によれば、対象となる映像の表示中に、その映像以外の画像を表示す
ることなく、焼き付きの顕現化を低減することができる。
【０００７】
また、本発明は、複数の画素を有する電気光学パネルに、各画素の階調値に応じた駆動
電圧の印加をする印加手段と、前記印加の開始または終了の指示を受け付ける受付手段と
、前記受付手段が前記開始の指示を受け付けてから、前記終了の指示を受け付けるまでの
期間における前記複数の画素の各々に印加される駆動電圧の絶対値を用いた累積値を、所
定数の画素を含む領域毎に記憶する記憶手段と、前記駆動電圧の絶対値が取りうる値のう
ち一の基準値と、前記累積値から得られる前記期間における平均値との差に応じて反転電
圧値を算出する算出手段と、前記算出手段により算出された前記反転電圧値を有する駆動
電圧を、前記受付手段が前記終了の指示を受け付けた後で、前記電気光学パネルに印加す
るように前記印加手段を制御する制御手段とを有する電気光学装置を提供する。
この電気光学装置によれば、対象となる映像の表示中に、その映像以外の画像を表示す
ることなく、焼き付きの顕現化を低減することができる。
【０００８】
好ましい態様において、この電気光学装置は、前記電気光学パネルに光を照射する光源
と、前記光源に電力を供給する供給手段とを有し、前記受付手段が前記終了の指示を受け
付けると、前記供給手段は、前記光源への電力の供給を停止してもよい。
この電気光学装置によれば、反転階調値が示す画像をユーザーに視認させることなく、
焼き付きの顕現化を低減することができる。
【０００９】
別の好ましい態様において、前記記憶手段は、前記開始の指示を受け付けてから前記終
了の指示を受け付けるまでの駆動時間を記憶し、前記制御手段は、前記駆動時間に応じた
時間、前記反転階調値に応じた駆動電圧を印加するように前記印加手段を制御してもよい
。
この電気光学装置によれば、前記駆動時間に応じた時間とは無関係に反転階調値に応じ
た駆動電圧を印加する構成と比較して、より焼き付きの顕現化を低減することができる。
【００１０】
さらに別の好ましい態様において、前記記憶手段は、前記開始の指示を受け付けてから
前記終了の指示を受け付けるまでの駆動時間を記憶し、前記制御手段は、前記駆動時間に
応じた時間、前記反転電圧を有する駆動電圧を印加するように前記印加手段を制御しても
よい。
この電気光学装置によれば、前記駆動時間に応じた時間とは無関係に反転電圧値を有す
る駆動電圧を印加する構成と比較して、より焼き付きの顕現化を低減することができる。
【００１１】
さらに、本発明は、複数の画素を有する電気光学パネルに、各画素の階調値に応じた駆
動電圧の印加をするステップと、前記印加の開始または終了の指示を受け付けるステップ
と、前記開始の指示を受け付けてから、前記終了の指示を受け付けるまでの期間における
前記複数の画素の各々の階調値の累積値を、所定数の画素を含む領域毎に、記憶手段に記
憶するステップと、前記階調値が取りうる値のうち一の基準値と、前記累積値から得られ
る前記期間における平均値との差に応じて反転階調値を算出するステップと、前記算出さ
れた前記反転階調値に応じた駆動電圧を、前記終了の指示を受け付けた後で、前記電気光
学パネルに印加するように制御するステップとを有する電気光学装置の駆動方法を提供す
る。
この駆動方法によれば、対象となる映像の表示中に、その映像以外の画像を表示するこ
となく、焼き付きの顕現化を低減することができる。
【００１２】
さらに、本発明は、複数の画素を有する電気光学パネルに、各画素の階調値に応じた駆
動電圧の印加をするステップと、前記印加の開始または終了の指示を受け付けるステップ
と、前記開始の指示を受け付けてから、前記終了の指示を受け付けるまでの期間における
前記複数の画素の各々に印加される駆動電圧の絶対値の平均値を、所定数の画素を含む領
域毎に、記憶手段に記憶するステップと、前記駆動電圧の絶対値が取りうる値のうち一の
基準値と、前記累積値から得られる前記期間における平均値との差に応じて反転電圧値を
算出するステップと、前記算出された前記反転電圧値を有する駆動電圧を、前記終了の指
示を受け付けた後で、前記電気光学パネルに印加するように制御するステップとを有する
電気光学装置の駆動方法を提供する。
この駆動方法によれば、対象となる映像の表示中に、その映像以外の画像を表示するこ
となく、焼き付きの顕現化を低減することができる。
【図面の簡単な説明】
【００１３】
【図１】一実施形態に係る電気光学装置１の構成を示す図である。
【図２】液晶パネル２０の構成を例示する図である。
【図３】電気光学装置１の動作の概要を説明する図である。
【図４】電気光学装置１の動作を示すフローチャートである。
【図５】累積表示パターンを説明する図である。
【図６】反転階調値を説明する図である。
【図７】変形例１に係る電気光学装置２の構成を示す図である。
【図８】変形例１における反転電圧を例示する図である。
【図９】液晶パネル２０における電圧−階調特性を例示する図である。
【発明を実施するための形態】
【００１４】
１．構成
図１は、一実施形態に係る電気光学装置１の構成を示す図である。電気光学装置１は、
例えばプロジェクターである。電気光学装置１は、制御回路１０、液晶パネル２０、光源
３０、電源４０および電源ボタン５０を有する。制御回路１０は、画像処理回路１１、映
像記憶回路１２、Ｄ／Ａ回路１３、タイミング信号発生回路１４、および電源制御回路１
５を有する。
【００１５】
画像処理回路１１（算出手段および制御手段の一例）は、入力される映像信号に対して
、ガンマ補正、色補正、歪補正、その他の画像処理を行う。映像信号は、液晶パネル２０
を制御するタイミングを示す同期信号および表示データを示す信号を含む。表示データは
、各画素の階調値を示す。映像記憶回路１２（記憶手段の一例）は、画像処理回路１１に
より画像処理が施された表示データを記憶する。この例で、映像記憶回路１２は、メモリ
ー１２１とメモリー１２２とを有する。メモリー１２１は、フレームメモリーである。メ
モリー１２２は、累積表示パターンを記憶するメモリーである。メモリー１２１は、１フ
レーム分の画像データを記憶するメモリーである。例えば、液晶パネル２０がｍ行×ｎ列
の画素を有する場合、メモリー１２１は各画素に対応する階調値を記憶するｍ行×ｎ列の
記憶領域を有する。なお、フレームとは、液晶パネル２０において、画像の１コマ分を表
示させるのに要する期間をいう。その期間は、例えば、垂直走査信号の周波数が６０Ｈｚ
であれば、その逆数である１６．７ミリ秒である。累積表示パターンとは、ある期間（例
えば、駆動電圧の印加の開始の指示を受け付けてから、終了の指示を受け付けるまでの期
間。以下この時間を「駆動時間」という）における階調値の累積値が示す表示パターンを
いう。
【００１６】
Ｄ／Ａ回路１３（各画素の階調値に応じた駆動電圧の印加をする印加手段の一例）は、
映像記憶回路１２に記憶されているデータに対応する電圧を、液晶パネル２０に出力する
。より具体的には、Ｄ／Ａ回路１３は、映像記憶回路１２から階調値（データ）を読み出
し、読み出した階調値を電圧値に変換し、この電圧値の電圧を出力する機能を有する。タ
イミング信号発生回路１４は、画像処理回路１１から入力される信号に基づいて、駆動電
圧を変化させるタイミングを指定する信号を、液晶パネル２０に出力する。
【００１７】
図２は、液晶パネル２０の構成を例示する図である。液晶パネル２０（複数の画素を有
する電気光学パネルの一例）は、制御回路１０の制御下で画像の表示を行う装置である。
液晶パネル２０は、素子基板１００ａと、対向基板１００ｂと、液晶層１０５とを有する
。素子基板１００ａと対向基板１００ｂとは、一定の間隙を保って貼り合わせられている
。素子基板１００ａのうち対向基板１００ｂとの対向面には、ｍ行（ｍは２以上の整数）
の走査線１１２およびｎ列（ｎは２以上の整数）のデータ線１１４が設けられている。走
査線１１２とデータ線１１４とは、互いに絶縁されている。なお、各走査線１１２を区別
する場合、図２において上から順に１、２、３、…、（ｍ−１）、ｍ行目の走査線１１２
という。同様に、各データ線１１４を区別する場合、図２において左から順に１、２、３
、…、（ｎ−１）、ｎ列目のデータ線１１４という。
【００１８】
素子基板１００ａにおいて、走査線１１２およびデータ線１１４は、ぞれぞれ、図２中
Ｘ方向およびＹ方向に沿って設けられている。Ｘ方向およびＹ方向に垂直な方向から見る
と、走査線１１２およびデータ線１１４は交差している。この交差に対応して、ＴＦＴ（
Thin Film Transistor）１１６と画素電極１１８との組が設けられている。画素電極１１
８は、矩形形状を有し、透明性を有する材料で形成されている。この例で、ＴＦＴ１１６
は、ｎチャネル型の電界効果トランジスターである。ＴＦＴ１１６のゲート電極は走査線
１１２に接続され、ソース電極はデータ線１１４に接続され、ドレイン電極は画素電極１
１８に接続されている。
【００１９】
対向基板１００ｂのうち、素子基板１００ａとの対向面には、コモン電極１０８が全面
にわたって設けられている。コモン電極１０８は、透明性を有する。コモン電極１０８に
は、図示省略した回路によって電圧ＬＣｃｏｍが印加される。
【００２０】
走査線駆動回路１３０は、走査信号Ｙ１、Ｙ２、Ｙ３、…、Ｙｍを走査線１１２に供給
する回路である。走査信号Ｙ１、Ｙ２、Ｙ３、…、Ｙｍは、パルス的に線順次でＨ（ハイ
）レベルとなる信号である。例えば、１列目の走査線１１２にＨレベルの走査信号が供給
されると、１列目の走査線１１２に接続されているＴＦＴ１１６がオン状態となる。この
とき、１列目の画素電極１１８には、データ線１１４に供給されているデータ信号により
画像データに応じた電圧が書き込まれる。液晶層１０５の液晶分子の配向状態（すなわち
液晶層１０５の透過率）は、画素電極１１８とコモン電極１０８との間に生じる電界によ
って変化する。これにより、光変調による階調表示が可能となる。
なお、図２において、素子基板１００ａの対向面は紙面裏側であるので、この対向面に
設けられる走査線１１２、データ線１１４、ＴＦＴ１１６および画素電極１１８について
は、破線で示すべきであるが、見難くなるので、それぞれ実線で示している。
【００２１】
再び図１を参照する。電源ボタン５０（駆動電圧の印加の開始または終了の指示を受け
付ける受付手段の一例）は、ユーザーによる、電源のオンまたはオフを指示する操作を受
け付ける。電源ボタン５０は、受け付けた操作に応じた信号を、電源制御回路１５に出力
する。電源制御回路１５は、電源ボタン５０からの信号に応じて、電源４０（供給手段の
一例）から他の要素への電力の供給を制御する。この例で、電源制御回路１５は、画像処
理回路１１、映像記憶回路１２、Ｄ／Ａ回路１３、液晶パネル２０および光源３０への電
力の供給の開始および終了を制御する。電源４０は、例えば電池である。
【００２２】
光源３０は、電力の供給を受けて、液晶パネル２０に光を照射する。光源３０から照射
された光は、液晶パネル２０を透過し、プリズム、レンズ等の光学系（図示略）を介して
投射される。
【００２３】
２．動作
図３は、電気光学装置１の動作の概要を説明する図である。電気光学装置１は、光源３
０に電力が供給されている間に液晶パネル２０に書き込まれた階調値を画素毎に累積した
累積表示パターン（図３（Ａ））を記憶する。光源３０への電力の供給が停止されると、
電気光学装置１は、累積表示パターンに対応する反転パターン（図３（Ｂ））を液晶パネ
ル２０に書き込む。累積表示パターンと反転パターンとは相補的な関係にある。具体的に
は、累積表示パターンと反転パターンとを足し合わせると、足し合わせた後のパターン（
図３（Ｃ））は全面に渡って一定の階調値（例えば、黒）を有する。
【００２４】
図４は、電気光学装置１の動作を示すフローチャートである。ここでは、電気光学装置
１の電源がオフになっている状態から、動作を説明する。
ステップＳ１００において、ユーザーは、電源ボタン５０を押下する。すなわち、ユー
ザーは、電力の供給を開始する指示を入力する。電源ボタン５０は、ユーザーの操作に応
じて、電源ボタン５０が押下されたことを示す信号を電源制御回路１５に出力する。この
信号を受けると、電源制御回路１５は、電源４０からの電力を、画像処理回路１１、映像
記憶回路１２、Ｄ／Ａ回路１３および光源３０に供給する。画像処理回路１１、映像記憶
回路１２、Ｄ／Ａ回路１３および光源３０に電力が供給されると、電気光学装置１は、映
像を投射する処理を開始する。映像を投射する処理の詳細は省略するが、概要は以下のと
おりである。画像処理回路１１は、映像信号を同期信号と表示データに分離し、同期信号
をタイミング信号発生回路１４に出力する。タイミング信号発生回路１４は、入力された
同期信号から、液晶パネル２０の駆動に用いられるタイミング信号を生成し、生成したタ
イミング信号を液晶パネル２０およびＤ／Ａ回路１３に出力する。また、画像処理回路１
１は、入力された映像信号に含まれる表示データに対し画像処理を施す。画像処理回路１
１は、画像処理を施した表示データを映像記憶回路１２のフレームメモリーに書き込む。
フレームメモリーには、ｍ行ｎ列の画素の階調値が順番に書き込まれる。Ｄ／Ａ回路１３
は、フレームメモリーに記憶されている階調値（デジタルデータ）を、タイミング信号発
生回路１４から出力されたタイミング信号に従って順番に読み出し、読み出した階調値に
対応する電圧を液晶パネル２０に出力する。液晶パネル２０において、走査線駆動回路お
よびデータ線駆動回路により、各画素に表示データが書き込まれる（すなわち、階調値に
応じた駆動電圧が各画素に印加される）。
【００２５】
液晶パネル２０への表示データの書き込みと並行して、画像処理回路１１は、累積表示
パターンをメモリー１２２に書き込む（ステップＳ１１０）。詳細には以下のとおりであ
る。この例で、メモリー１２２は、ｍ行ｎ列の画素に対応するｍ×ｎ個の記憶領域と、総
フレーム数（フレーム数のカウンター）を記憶する記憶領域とを有する。すなわち、液晶
パネル２０の画素と、メモリー１２１の記憶領域と、メモリー１２２の記憶領域とはすべ
て一対一に対応している。既に説明したように、画像処理回路１１は、液晶パネル２０へ
のデータ（階調値）の書き込みのために、メモリー１２１に階調値を書き込む。階調値は
、第１フレームの第１行、第２行、第３行、・・・というように順番に書き込まれる。第
１フレームの第ｍ行の階調値が書き込まれると、次は第２フレームの第１行の階調値が書
き込まれる。画像処理回路１１は、ある画素についてメモリー１２１に書き込まれた階調
値が次のフレームの階調値で上書きされる前に、その画素の階調値をメモリー１２１から
読み出す。また、画像処理回路１１は、その画素の累積階調値をメモリー１２２から読み
出す。画像処理回路１１は、メモリー１２１から読み出した階調値とメモリー１２２から
読み出した累積階調値とを加算し、加算した結果を新たな累積階調値としてメモリー１２
２に書き込む。画像処理回路１１は、対象とする画素を順次変更し、ｍ×ｎ個の画素のす
べてについて累積画素値を更新する。すべての画素について累積画素値を更新すると、画
像処理回路１１は、メモリー１２２に記憶されているフレーム数のカウンターを１つ加算
する。メモリー１２２に記憶されているデータは、例えば電源がオンされたときにリセッ
トされる。したがって、メモリー１２２には、電源がオンされてからの累積階調値および
総フレーム数が記憶されている。
【００２６】
図５は、累積表示パターンを説明する図である。ここでは、画素１および画素２の２つ
の画素について、第１〜第８フレームの８フレームの表示が行われた場合を例に説明する
。表示データは２５６階調（０〜２５５）である。画素１に書き込まれた階調値は、第１
フレームから順に、２５５、１５０、２００、１００、２００、２００、１８０、および
１８０である。画素２に書き込まれた階調値は、第１フレームから順に、２０、８０、１
００、１００、１００、１５０、１８０、および４０である。第８フレームまでの表示が
完了すると、メモリー１２２において、画素１の累積階調値として１４６５が、画素２の
累積階調値として７７０が、総フレーム数として８が、それぞれ記憶されている。
【００２７】
再び図４を参照する。ステップＳ１２０において、電源制御回路１５は、電源オフの指
示が入力されたか、すなわち、電源ボタン５０が押下されたか判断する。電源オフの指示
が入力されたと判断された場合（Ｓ１２０：ＹＥＳ）、電源制御回路１５は、処理をステ
ップＳ１３０に移行する。電源オフの指示が入力されていないと判断された場合（Ｓ１２
０：ＮＯ）、電源制御回路１５は電源オフの指示が入力されるまで待機する。
【００２８】
ステップＳ１３０において、電源制御回路１５は、光源３０への電力の供給を停止する
。電力の供給が停止されると、光源３０は光照射を停止する。光照射が停止されるので、
スクリーンへの映像の投射は停止される。電源制御回路１５はさらに、電源オフの指示が
入力された旨を示す信号を、画像処理回路１１に出力する。
【００２９】
電源オフの指示が入力された旨を示す信号が電源制御回路１５から入力されると、画像
処理回路１１は、反転パターンを液晶パネル２０に書き込む（ステップＳ１４０）。詳細
は以下のとおりである。画像処理回路１１は、入力される映像信号に応じた表示データの
メモリー１２１への書き込みを停止する。画像処理回路１１は、メモリー１２２から総フ
レーム数および各画素の累積階調値を読み出す。画像処理回路１１は、累積階調値をフレ
ーム数で除算し、各画素の平均階調値を算出する。画像処理回路１１は、基準となる階調
値（この例では、階調値が取りうる値の最大値すなわち２５５）から、各画素の平均階調
値を減算する。こうして算出された階調値を、ここでは「反転階調値」という。画像処理
回路１１は、各画素の反転階調値をメモリー１２１に書き込む。すべての画素について反
転階調値が書き込まれると、メモリー１２１は、反転パターンを記憶している。メモリー
１２１への表示データの書き込みが停止された後も、Ｄ／Ａ回路１３は動作を継続してい
る。すなわち、Ｄ／Ａ回路１３は、反転パターンの書き込みに用いられる駆動電圧を、液
晶パネル２０に出力する。液晶パネル２０において、各画素には反転パターンが書き込ま
れる。
【００３０】
図６は、反転階調値を説明する図である。画素１の平均階調値は１８３であったので、
反転階調値は２５５−１８３＝７２である。画素２の平均階調値は９６であったので、反
転値は２５５−９６＝１５９である。
【００３１】
液晶パネル２０に反転パターンが書き込まれた状態は、所定の時間、この例では、メモ
リー１２２に記憶されている総フレーム数に相当する時間、維持される。この例では、総
フレーム数＝８であるので、１フレーム１６．７ミリ秒とすると、約１３３ミリ秒、反転
パターンの書き込み状態が維持される。反転パターンの書き込みがされているとき、光源
３０から光照射は行われていないので、ユーザーは反転パターンを視認することがない。
【００３２】
再び図４を参照する。所定の時間、液晶パネル２０において反転パターンの書き込み状
態が維持されると、電源制御回路１５は、画像処理回路１１、映像記憶回路１２、Ｄ／Ａ
回路１３、タイミング信号発生回路１４および液晶パネル２０への電力の供給を停止する
（ステップＳ１５０）。詳細には以下のとおりである。メモリー１２１に反転パターンを
書き込んだ後、画像処理回路１１は、同期信号により１フレームが経過したことが示され
るたびに、メモリー１２２のフレーム数のカウンターの値を１つ減算する。カウンターの
値がゼロになると、画像処理回路１１は、カウンターがゼロになった旨を示す信号を電源
制御回路１５に出力する。この信号が入力されると、電源制御回路１５は、画像処理回路
１１、映像記憶回路１２、Ｄ／Ａ回路１３、タイミング信号発生回路１４および液晶パネ
ル２０への電力の供給を停止する。こうして、電気光学装置１は、所定の時間、液晶パネ
ル２０において反転パターンの書き込み状態を維持した後、オフ状態になる。すなわち、
オン状態になってからオフ状態になるまでの期間において、液晶パネル２０のすべての画
素について書き込まれた階調値の累積値は同一である。
【００３３】
本実施形態における反転パターンは、累積表示パターンと足し合わせると全面が一定の
階調値となるパターンである。反転パターンは、電源をオフにする指示が入力された後、
すなわち、対象となる映像の表示が完了した後で液晶パネル２０に書き込まれる。このよ
うに、電気光学装置１によれば、対象となる映像の表示中に反転パターンを表示すること
なく、焼き付きの顕現化が低減される。
【００３４】
３．他の実施形態
本発明は上述の実施形態に限定されるものではなく、種々の変形実施が可能である。以
下、変形例をいくつか説明する。以下で説明する変形例のうち２つ以上のものが組み合わ
せて用いられてもよい。
【００３５】
３−１．変形例１
図７は、変形例１に係る電気光学装置２の構成を示す図である。電気光学装置２は、制
御回路１０がＡ／Ｄ回路１６を有している点において電気光学装置１と異なっている。こ
の例で、電気光学装置２は、階調値ではなく駆動電圧に基づいて反転パターンを生成する
。この場合、映像記憶回路１２は、メモリー１２１およびメモリー１２２に加え、メモリ
ー１２３を有している。メモリー１２３は、反転パターンを液晶パネル２０に書き込むと
きに用いられるメモリーである。メモリー１２２には、累積表示パターンとして、各画素
の累積電圧値が記憶される。また、Ｄ／Ａ回路１３は、メモリー１２１から読み出した階
調値を電圧値に変換し、この電圧値の電圧を出力する機能に加え、メモリー１２３から電
圧値を読み出して、読み出した電圧値の電圧を出力する機能を有する。
【００３６】
Ｄ／Ａ回路１３は、階調値に対応する駆動電圧を、液晶パネル２０に加えてＡ／Ｄ回路
１６に出力する。Ａ／Ｄ回路１６は、Ｄ／Ａ回路１３から入力された駆動電圧（アナログ
信号）をデジタルデータに変換し、画像処理回路１１に出力する。画像処理回路１１は、
メモリー１２２から、ある画素の累積電圧値を読み出し、Ａ／Ｄ回路１６から入力された
駆動電圧の絶対値を加算して、新たな累積電圧値としてメモリー１２２に記憶する。反転
パターンを生成する際、画像処理回路１１は、メモリー１２２から各画素の累積電圧値を
読み出す。画像処理回路１１は、読み出した累積電圧値を総フレーム数で除算し、平均電
圧値を算出する。画像処理回路１１は、駆動電圧として出力可能な電圧値のうち、基準と
なる電圧値（この例では、最大電圧値である５Ｖ）から平均電圧値を減算し、反転電圧値
を算出する。画像処理回路１１は、算出した反転電圧値を、メモリー１２３に書き込む。
すべての画素について反転電圧値を書き込むと、画像処理回路１１は、Ｄ／Ａ回路１３に
反転パターンの書き込みを指示する。画像処理回路１１から指示を受けると、Ｄ／Ａ回路
１３は、メモリー１２３から読み出した電圧値をアナログ信号に変換して、液晶パネル２
０に出力する。
【００３７】
図８は、変形例１における反転電圧を例示する図である。この例では、画素１の駆動電
圧の絶対値は、第１フレームから順に、４．８１、４．４２、４．４２、４．０９、４．
５４、３．３６、２．５４、および２．２６である。画素２の駆動電圧の絶対値は、第１
フレームから順に、１．１７、１．８５、３．２１、３．１４、３．２７、４．５５、３
．２７、および０．５４（単位はいずれもＶ）である。第８フレームまでの表示が完了す
ると、メモリー１２２において、画素１の累積電圧値として２９．４４が、画素２の累積
電圧値として２１．００が、それぞれ記憶されている。画素１の平均電圧値は３．６８で
あったので、反転電圧は５−３．６８＝１．３２である。画素２の平均電圧値は２．６３
であったので、反転電圧は５−２．６３＝２．３７である。
【００３８】
図９は、液晶パネル２０における電圧−階調特性を例示する図である。この例では、電
圧と階調の関係は線形ではない。このような場合でも、電気光学装置２によれば、駆動電
圧の絶対値と、駆動電圧が印加された時間の積は、すべての画素についてほぼ一定となる
。
【００３９】
３−２．変形例２
メモリー１２２が累積値を記憶する単位は１画素に限定されない。メモリー１２２は、
所定数の画素を含む領域毎に累積値を記憶してもよい。例えば、累積値は、隣接する２画
素を単位として記憶されてもよい。２画素ずつ累積値を記憶する構成では、メモリー１２
２は、ｍ／２×ｎ／２個の記憶領域を有していればよい。ここでは、図５の画素１と画素
２が１つの領域として処理される場合を例に説明する。第８フレームまでの表示が完了す
ると、メモリー１２２において、この領域の累積階調値として２２３５（＝１４６５＋７
７０）が記憶されている。反転パターンを生成する際、画像処理回路１１は、メモリー１
２２から読み出した累積階調値を、総フレーム数で除算し、その解をさらに１領域あたり
の画素数で除算する。この場合、画素１および画素２の反転階調値は１４０（≒２２３５
／８／２）である。画像処理回路１１は、算出した反転階調値を、メモリー１２１に書き
込む。変形例１で説明した電圧値を用いる場合も同様である。
【００４０】
変形例２によれば、階調値と時間の積（または駆動電圧と時間の積）は、すべての画素
で厳密に同一にはならないが、隣接する画素では階調値が近い場合が多いことを考慮する
と、液晶パネル２０に反転パターンの書き込みをしない構成と比較すると、焼き付きの顕
現化が抑制される。また、上述の実施形態と比較してメモリー１２２の記憶容量が低減さ
れる。
【００４１】
３−３．変形例３
液晶パネル２０に反転パターンが書き込まれた状態が維持される時間（以下この時間を
「反転表示時間」という）は、総フレーム数に相当する時間に限定されない。例えば、反
転表示時間と総フレーム数とは、あらかじめ決められた非線形の関係を有していてもよい
。別の例で、反転表示時間に上限が設定されてもよい。すなわち、総フレーム数がしきい
値を超えた場合、反転表示時間はこのしきい値に相当する時間となる。あるいは、反転表
示時間は、総フレーム数と無関係に常に一定であってもよい。
【００４２】
また、電源オフの指示が入力された後、映像信号の供給が停止される場合がある。この
ような場合、画像処理回路１１は同期信号を得ることができないので、反転表示時間を計
測できない可能性がある。この問題に対処するため、電気光学装置１はタイマーを有して
いてもよい。タイマーは、クロック信号を画像処理回路１１に出力する。電源オフの指示
が入力された後、画像処理回路１１は、タイマーから入力されるクロック信号を用いて、
タイミング信号を生成する。
【００４３】
３−４．変形例４
メモリー１２２に記憶されるデータは、累積階調値に限定されない。画像処理回路１１
は、メモリー１２１からある画素の階調値を読み出し、基準値から階調値を減算した値を
累積値としてメモリー１２２に書き込んでもよい。この場合、反転パターンを生成する際
には基準値との差を計算する必要はなく、総フレーム数で除算するだけでよい。要は、各
画素の階調値を用いた累積値がメモリー１２２に記憶され、階調値が取りうる値のうち一
の基準値と、累積値から得られる平均値との差に応じて反転階調値が算出されるものであ
ればよい。階調値に代わり電圧値が用いられる場合も同様である。
【００４４】
また、階調値または駆動電圧の累積値から平均値を算出する際、端数の処理は、切り捨
て、切り上げ、四捨五入等、どのような処理が用いられてもよい。平均値は誤差を含んで
いてもよい。
さらに、反転パターン生成する際、基準値から平均値を減算した値に所定のオフセット
を加算したり、所定の係数を乗算したりする処理が追加されてもよい。
【００４５】
３−５．変形例５
電気光学装置１はプロジェクターに限定されない。液晶ディスプレイ等、プロジェクタ
ー以外の装置であってもよい。この場合において、電気光学装置１は、光源３０を有して
いなくてもよい。また、液晶パネル２０に代わり、有機エレクトロルミネッセンスを用い
た電気光学パネルが用いられてもよい。
【符号の説明】
【００４６】
１…電気光学装置、２…電気光学装置、１０…制御回路、１１…画像処理回路、１２…映
像記憶回路、１３…Ｄ／Ａ回路、１４…タイミング信号発生回路、１５…電源制御回路、
１６…Ａ／Ｄ回路、２０…液晶パネル、３０…光源、４０…電源、５０…電源ボタン、１
０５…液晶層、１０８…コモン電極、１１２…走査線、１１４…データ線、１１６…ＴＦ
Ｔ、１１８…画素電極、１２１…メモリー、１２２…メモリー、１２３…メモリー
【図１】
2011221118.tif 000003
【図２】
2011221118.tif 000004
【図３】
2011221118.tif 000005
【図４】
2011221118.tif 000006
【図５】
2011221118.tif 000007
【図６】
2011221118.tif 000008
【図７】
2011221118.tif 000009
【図８】
2011221118.tif 000010
【図９】
2011221118.tif 000011